(57)【特許請求の範囲】
【請求項１】
商品情報の入力を受付ける入力受付手段と、
前記入力受付手段が受付けた前記商品情報の商品を客が買い上げる商品として販売登録し、客が買い上げる商品の合計買い上げ金額を算出する販売登録手段と、
一取引の会計処理を行って釣銭額を算出するための会計指示を受付ける受付手段と、
前記受付手段が前記会計指示を受付けた場合に、前記販売登録手段が算出した前記合計買い上げ金額が所定の金額に達していれば、当該金額に応じて客に進呈可能であるクーポンに関する情報および釣銭額を含む表示領域をポップアップ表示する表示制御手段と、
を備える販売データ処理装置。
【請求項２】
前記販売登録手段が算出した前記合計買い上げ金額が前記所定の金額に達している場合に当該所定の金額に対応するクーポンを客に進呈可能であると判定する判定手段をさらに備え、
前記表示制御手段は、商品の販売登録を行うための登録画面を表示して、且つ、次取引の前記登録画面において、前回の取引時に前記判定手段が客に対して進呈可能であると判定した前記クーポンに関する情報を表示する、請求項１に記載の販売データ処理装置。
【請求項３】
前記判定手段が客に対して進呈可能であると判定した前記クーポンに関する情報を、一取引の売上データとともに印字する印字制御手段をさらに備える、請求項２に記載の販売データ処理装置。
【請求項４】
前記販売登録手段は、前記合計買い上げ金額を算出する対象となる対象商品の商品コードを記憶する対象商品記憶手段に基づいて、客が買い上げる前記対象商品の合計買い上げ金額を算出し、
前記判定手段は、前記販売登録手段が算出した前記対象商品の合計買い上げ金額が前記所定の金額に達しているか判定する、請求項２または３に記載の販売データ処理装置。
【請求項５】
販売データ処理装置を制御するコンピュータを、
商品情報の入力を受付ける入力受付手段と、
前記入力受付手段が受付けた前記商品情報の商品を客が買い上げる商品として販売登録し、客が買い上げる商品の合計買い上げ金額を算出する販売登録手段と、
一取引の会計処理を行って釣銭額を算出するための会計指示を受付ける受付手段と、
前記受付手段が前記会計指示を受付けた場合に、前記販売登録手段が算出した前記合計買い上げ金額が所定の金額に達していれば、当該金額に応じて客に進呈可能であるクーポンに関する情報および釣銭額を含む表示領域をポップアップ表示する表示制御手段と、
として機能させるためのプログラム。
【発明の詳細な説明】
【技術分野】
【０００１】
本発明の実施形態は、販売データ処理装置およびプログラムに関する。
【背景技術】
【０００２】
スーパーマーケットや量販店等の店舗においては、客の買い上げ金額やポイント数に応じて値引券や割引券等のクーポンを進呈し、次回以降の買物にてそのクーポンによる値引サービスを行うサービスがある。このようなサービスに関して、従来は、客の買い上げ金額やポイント数がクーポンを進呈できる条件となった場合にブザー動作や表示通知等を行って店員に報知する技術が開示されている。
【発明の概要】
【発明が解決しようとする課題】
【０００３】
しかしながら、従来技術においては、釣銭等の手渡しも兼ねてクーポンの進呈をスムーズに行えるようにしたいという要望があった。
【課題を解決するための手段】
【０００４】
実施形態の販売データ処理装置は、入力受付手段と、販売登録手段と、受付手段と、表示制御手段とを備える。入力受付手段は、商品情報の入力を受付ける。販売登録手段は、前記入力受付手段が受付けた前記商品情報の商品を客が買い上げる商品として販売登録し、客が買い上げる商品の合計買い上げ金額を算出する。受付手段は、一取引の会計処理を行って釣銭額を算出するための会計指示を受付ける。表示制御手段は、前記受付手段が前記会計指示を受付けた場合に、前記販売登録手段が算出した前記合計買い上げ金額が所定の金額に達していれば、当該金額に応じて客に進呈可能であるクーポンに関する情報および釣銭額を含む表示領域をポップアップ表示する。
【図面の簡単な説明】
【０００５】
【図１】図１は、本実施形態に係るＰＯＳ端末の構成を示す外観斜視図である。
【図２】図２は、ＰＯＳ端末の電装系の構成を示すブロック図である。
【図３】図３は、アラート画面の一例を示す図である。
【図４】図４は、前取引のクーポンに関する情報が表示された、次取引の登録画面の一例を示す図である。
【図５】図５は、クーポンに関する情報を含めて印字されたジャーナルの一例を示す図である。
【図６】図６は、ＰＯＳ端末が実行する販売登録処理の手順を示すフローチャートである。
【発明を実施するための形態】
【０００６】
本実施の形態においては、スーパーマーケットや量販店等の店舗において使用されるＰＯＳ（Point  Of  Sales：販売時点データ管理）端末に販売データ処理装置を適用する場合について説明する。
【０００７】
図１は、本実施形態にかかるＰＯＳ端末１の構成を概略的に示した外観斜視図である。ＰＯＳ端末１は、現金等を収容するためのドロワ１２の上に載置されており、このドロワ１２の引出し１２ａの開閉を制御する。ＰＯＳ端末１の正面側には、キーボード１３、モードキー１４等が設けられている。キーボード１３には、例えば、置数キーや、１取引として販売登録が行われた商品の合計出力を指示するための小計キー、１取引の代金を決済することを宣言するための現計キー等が設けられている。モードキー１４は、登録、点検、精算、設定などの各種業務モードを選択するためのキーで、鍵を用いて操作される。また、キーボード１３に近接する位置には、磁気カードに記憶された磁気情報を読み取るカードリーダ１１が設けられている。
【０００８】
ＰＯＳ端末１には、商品等に付与されたバーコードを読取るためのスキャナ１９が接続されている。また、ＰＯＳ端末１には、正面側には店員用ディスプレイ１５が、背面側には客用ディスプレイ１６が取り付けられている。店員用ディスプレイ１５および客用ディスプレイ１６は販売登録された商品の品名、価格や、販売登録の終了が宣言された１商取引の合計金額、釣銭額などを表示する。また、これらディスプレイとしては、液晶カラーディスプレイ等が用いられる。また、ＰＯＳ端末１は、レシート、ジャーナル等を印字するプリンタ１７を内蔵している。プリンタ１７によって印字されたレシート、ジャーナル等はＰＯＳ端末１の正面側に形成されたレシート発行口１８から発行される。
【０００９】
図２は、ＰＯＳ端末１の電装系の構成を示すブロック図である。ＰＯＳ端末１は、ＣＰＵ（Central  Processing  Unit）と、記憶部として機能するＲＯＭ（Read  Only  Memory）およびＲＡＭ（Random  Access  Memory）（いずれも不図示）等から構成されるコンピュータ構成の制御部５０を備えている。ＲＯＭは、ＣＰＵが実行する各種プログラムや各種データを記憶する。ＲＡＭは、ＣＰＵが各種プログラムを実行する際に一時的にデータやプログラムを記憶する。また、ＲＡＭは、商品の販売記録を示す販売データや、店員用ディスプレイ１５や客用ディスプレイ１６に表示する各種の画面表示データを記憶するものである。
【００１０】
制御部５０は、Ｉ／Ｏ機器制御部３４およびバス３２を介して、キーボード１３、店員用ディスプレイ１５、客用ディスプレイ１６、プリンタ１７、スキャナ１９、ＨＤＤ４０等のＩ／Ｏ機器を制御し、ＰＯＳ端末１のシステム全体を制御するものである。また、制御部５０は、通信Ｉ／Ｆ３３を介してＬＡＮ（Local  Area  Network）で接続されたストアサーバ（不図示）と相互に通信を行うことが可能となっている。本実施の形態のＰＯＳ端末１は、１台のＰＯＳ端末１が単独で商品登録および商品販売登録等を行っても良い。或いは、店舗内に複数のＰＯＳ端末１が設置される場合には、これら複数のＰＯＳ端末１をストアサーバに接続して、商品登録および商品販売登録等の処理を一括して管理するように構成してもよい。
【００１１】
ここで、ＨＤＤ４０は、記憶手段として機能するものであり、ＣＰＵが実行する各種プログラムの他、対象商品マスタ４１を格納している。また、ＨＤＤ４０の一部の記憶領域には、クーポン判定フラグ格納エリア４２と、ジャーナル格納エリア４３とが設けられている。尚、ここでは記憶手段としてＨＤＤ４０を用いる例を示すが、記憶手段としてＳＳＤ（Solid  State  Drive）等その他のメモリを用いる形態としてもよい。また、ストアサーバ等、ＰＯＳ端末１に接続されたその他の情報処理装置がこの記憶手段を備えるとして、ＰＯＳ端末１はネットワークを介してこの記憶手段にアクセスする形態としてもよい。尚、ＨＤＤ４０内のデータについては、ネットワーク接続されたストアサーバによってアクセス可能とし、ストアサーバからこれらデータを編集または更新する形態としてもよい。
【００１２】
本実施形態においては、客が買い上げた商品のうち、店舗側が予め定めた所定の商品（対象商品）の合計買い上げ金額が所定金額に達した場合に値引券や割引券等のクーポンを客に進呈するサービスが用いられる。そこで、対象商品マスタ４１には、クーポン発行に必要な買い上げ金額を算出する対象となる対象商品の商品コードが格納される。
【００１３】
クーポン判定フラグ格納エリア４２は、客が買い上げた対象商品の合計買い上げ金額が所定金額に達して、その客に対してクーポンを進呈することができるか否かを示すクーポン判定フラグの値を格納する記憶領域である。クーポン判定フラグは、後述するクーポン判定部５５の判定によって設定され、例えばフラグ値が１の場合にはクーポン進呈可能であり、フラグ値が０の場合にはクーポン進呈は不可能であることを示すものである。なお、クーポン判定フラグの値は、現計キーが選択操作された場合に設定され、次の取引で現計キーが選択操作された場合にその値が更新される。
【００１４】
ジャーナル格納エリア４３は、ＰＯＳ端末１で処理された各取引の売上データであるジャーナルを記憶する記憶領域である。ストアサーバは、１日の営業時間が終了した場合に店舗内の各ＰＯＳ端末１にアクセスして、各ジャーナル格納エリア４３に格納されているジャーナルのデータを収集することができる。
【００１５】
次に、制御部５０の機能について詳述する。制御部５０は、ＣＰＵがＲＯＭに格納されている本実施形態のプログラムをＲＡＭに展開して実行することによって、図２に示すように、表示制御部５１、入力受付部５２、販売登録部５３、対象商品判定部５４、クーポン判定部５５、印字制御部５６として機能する。また、ＲＡＭの記憶領域の一部は、商品を販売登録する場合に用いられる登録用ワークエリア５７として使用される。
【００１６】
表示制御部５１は、Ｉ／Ｏ機器制御部３４を介して店員用ディスプレイ１５または客用ディスプレイ１６を制御し、店員用ディスプレイ１５または客用ディスプレイ１６に各種画面を表示させる。例えば、表示制御部５１は、販売登録処理時において、販売登録された商品の商品名や価格、個数、そして販売登録された全商品の合計金額等、一取引にかかる取引データが示される登録画面（例えば、図４の登録画面１５ａ）を店員用ディスプレイ１５に表示させる。また、表示制御部５１は、小計キーが選択操作された場合に、販売登録された全商品の合計金額等が示され、支払処理のために用いられる支払い画面（例えば、図３の支払い画面１５ｂ）を店員用ディスプレイ１５に表示させる。
【００１７】
また、表示制御部５１は、クーポン判定フラグの値が１である場合に、客に進呈可能であるクーポンに関する情報および釣銭額を含む表示領域（例えば、図３に示すアラート画面１５２）を、店員用ディスプレイ１５に表示させる。
【００１８】
図３は、アラート画面１５２の一例を示す図である。図３に示すように、アラート画面１５２には、この取引の釣銭額とともに、客に進呈可能なクーポンに関する情報が表示される。クーポンに関する情報としては、クーポン種別やクーポンの換金額、クーポン枚数、クーポンの有効期限、使用可能な店舗名等を表示することができる。
【００１９】
これにより、客に手渡しする釣銭額およびクーポンについてひと目で確認し易くなり、クーポン進呈をスムーズに行い易くすることができる。また、一般的にクーポンはドロワ１２内に収納されている場合が多いため、店員がドロワ１２内から釣銭を取り出す際に、ドロワ１２内のクーポンを合わせて取り出すよう店員の注意を向けることが可能となり、釣銭およびクーポンの手渡しをスムーズに行い易くすることができる。
【００２０】
さらに、表示制御部５１は、クーポン判定フラグの値が１である場合に、前取引において進呈可能と判定されたクーポンに関するクーポン情報を、次取引の登録画面上に表示する。
【００２１】
図４は、前取引のクーポンに関するクーポン情報１５４が表示された、次取引の登録画面１５ａの一例を示す図である。図４に示すように、この取引の取引番号（取引Ｎｏ．）１５３は「０００２」となっており、図３に示す取引の取引番号１５１「０００１」の次取引であることを示している。商品登録欄の下部には、「前回クーポン  ５００円」と前取引において進呈可能と判定されたクーポンに関するクーポン情報１５４が表示される。
【００２２】
尚、クーポン情報１５４としては、特に前回であることが示されず「クーポン  ５００円」のように単にクーポンの種別が表示されるとしてもよい。また、クーポン情報１５４としては、クーポンの種別の他にも、クーポンの枚数等のその他の情報を含めるとしてもよい。
【００２３】
また、クーポン情報１５４の表示領域を、値引情報など他の情報の表示領域と兼用させる場合には、当該他の情報を表示させるタイミングにおいて一時的にクーポン情報１５４の表示を中断するとしてもよい。これにより、表示領域に限りが有る場合であっても、クーポン情報を表示させることができる。
【００２４】
入力受付部５２は、Ｉ／Ｏ機器制御部３４を介してキーボード１３、スキャナ１９からの入力を受付ける。一例として、入力受付部５２は、スキャナ１９が商品に付されたコードシンボルに記憶されている商品コード等の商品情報を読み込んだ場合に、その商品情報の入力を受付ける。尚、入力受付部５２は、キーボード１３に設けられた置数キーから商品コード等の商品情報が入力操作された場合に、その商品情報の入力を受付けるとしてもよい。また、入力受付部５２は、現計キーが選択操作された場合に、一取引の会計処理を行って釣銭額を算出するための会計指示を受付ける。
【００２５】
販売登録部５３は、入力受付部５２が受付けた商品コードの商品を、客が買い上げる商品として販売登録し、登録用ワークエリア５７に格納する。また、販売登録部５３は、キーボード１３の小計キーが選択操作された場合に、客が買い上げる商品の合計買い上げ金額を算出する。さらに、販売登録部５３は、小計キーが選択操作された場合に、客が買い上げる商品のうち、対象商品の合計買い上げ金額を算出する。
【００２６】
対象商品判定部５４は、対象商品マスタ４１を参照して、入力受付部５２が受付けた商品コードの商品が対象商品であるか否かを判定する。また、対象商品判定部５４は、その商品が対象商品である場合には、登録用ワークエリア５７に登録されたその商品の商品コードに対して、その商品が対象商品であることを示す対象商品フラグを有効化し、そのフラグ値を１に設定する。
【００２７】
クーポン判定部５５は、販売登録部５３が算出した合計買い上げ金額が所定の金額に達しているか否かを判定する。一例として、クーポン判定部５５は、販売登録部５３が算出した対象商品の合計買い上げ金額が所定の金額に達している場合に、当該所定の金額に対応するクーポンを客に進呈可能であると判定する。この場合に、クーポン判定部５５は、クーポン判定フラグを有効化し、フラグ値を１に設定する。
【００２８】
印字制御部５６は、Ｉ／Ｏ機器制御部３４を介してプリンタ１７によるレシートやジャーナル等の印字処理を制御する。印字制御部５６は、現計キーが選択操作された場合に、その取引で客が買い上げた商品の商品名や個数、価格、合計金額、釣銭等（すなわち、一取引の売上データ）を含むレシート用印字データを生成し、この印字データによってプリンタ１７にレシートを印字させる。
【００２９】
また、印字制御部５６は、一取引の売上データを含むジャーナル用印字データを生成し、この印字データによってプリンタ１７にジャーナルを印字させる。また、クーポン判定フラグの値が１である場合には、印字制御部５６は、一取引の売上データとともに、進呈可能であると判定されたクーポンに関する情報を含めて、ジャーナルの印字データを生成する。
【００３０】
図５は、クーポンに関する情報を含めて印字されたジャーナル１７１の一例を示す図である。図５に示すように、ジャーナル１７１には、一取引の売上データ１７２とともに、進呈可能であると判定されたクーポンに関するクーポン情報１７３が印字される。これにより、店舗側は、進呈可能と判定されたクーポンについて、ジャーナル１７１を参照して確認することができる。
【００３１】
次に、ＰＯＳ端末１が実行する販売登録処理の手順について説明する。図６は、ＰＯＳ端末１が実行する販売登録処理の手順を示すフローチャートである。
【００３２】
入力受付部５２は、スキャナ１９が商品に付されたコードシンボルに記憶されている商品コードを読み込んだ場合等に、その商品コードの入力を受付ける（ステップＳ１）。販売登録部５３は、受付けた商品コードを登録用ワークエリア５７に格納してその商品を販売登録を行う（ステップＳ２）。
【００３３】
対象商品判定部５４は、登録用ワークエリア５７に格納された商品コードが対象商品マスタ４１に登録されている商品コードであるか否かを判定することにより、その商品が対象商品であるか否かを判定する（ステップＳ３）。その商品が対象商品であると判定された場合（ステップＳ３：Ｙｅｓ）には、対象商品判定部５４は、登録用ワークエリア５７に格納されたその商品の商品コードに対して、対象商品フラグを有効化し、フラグ値を１とする（ステップＳ４）。その商品が対象商品でないと判定された場合（ステップＳ３：Ｎｏ）には、対象商品判定部５４は、対象商品フラグを有効化せず、ステップＳ５に移行する。尚、対象商品フラグの初期値は０であるので、ステップＳ３：Ｎｏの場合にその商品に対するフラグ値は０のまま保持される。
【００３４】
入力受付部５２は、小計キーが選択操作されたか否かを判定する（ステップＳ５）。小計キーが選択操作されていない間（ステップＳ５：Ｎｏ）は、ステップＳ１に戻ってステップＳ１〜Ｓ５の処理を繰り返す。小計キーが選択操作された場合（ステップＳ５：Ｙｅｓ）には、表示制御部５１は、支払い画面１５ｂ（図３参照）を店員用ディスプレイ１５に表示させる（ステップＳ６）。また、販売登録部５３は、登録用ワークエリア５７において対象商品フラグが１である商品の合計金額を算出して、対象商品の合計買い上げ金額を算出する（ステップＳ７）。
【００３５】
次に、入力受付部５２は、現計キーが選択操作されたか否かを判定する（ステップＳ８）。現計キーが選択操作されていない場合（ステップＳ８：Ｎｏ）はステップＳ８に戻って入力待ちをする。現計キーが選択操作された場合（ステップＳ８：Ｙｅｓ）に、クーポン判定部５５は、ステップＳ７で算出された対象商品の合計買い上げ金額が所定の金額に達しており、この金額に対応するクーポンを客に進呈可能であるか否かを判定する（ステップＳ９）。
【００３６】
クーポンを進呈可能であると判定された場合（ステップＳ９：Ｙｅｓ）には、クーポン判定部５５は、クーポン判定フラグ格納エリア４２（図２参照）に格納されているクーポン判定フラグを有効化し、フラグ値を１に設定する（ステップＳ１０）。尚、クーポン判定フラグの値は次取引まで保持されるので、前取引で設定されたフラグ値はステップＳ１０またはＳ１４において更新される。そして、表示制御部５１は、進呈可能であるクーポンに関する情報と、釣銭額とを含むアラート画面１５２を支払い画面１５ｂ上にポップアップ表示させる（ステップＳ１１）。印字制御部５６はプリンタ１７によってレシートを発行する（ステップＳ１２）。また、印字制御部５６はプリンタ１７により、この取引の取引データと、進呈可能なクーポンの情報とを含むジャーナル１７１（図５参照）を印字する（ステップＳ１３）。
【００３７】
ステップＳ９においてクーポンを進呈可能ではないと判定された場合（ステップＳ９：Ｎｏ）には、クーポン判定部５５は、クーポン判定フラグ格納エリア４２のクーポン判定フラグを無効化し、フラグ値を０に設定する（ステップＳ１４）。そして、表示制御部５１は、釣銭額を示すアラート画面（不図示）を支払い画面１５ｂ上にポップアップ表示させる（ステップＳ１５）。印字制御部５６は一取引の取引データを印字したレシートを発行する（ステップＳ１６）。また、印字制御部５６は、一取引の取引データを含むジャーナルを印字する（ステップＳ１７）。
【００３８】
次に、入力受付部５２は、商品コードの入力を受付けたか否かを判定する（ステップＳ１８）。商品コードの入力を受付けない間（ステップＳ１８：Ｎｏ）はステップＳ１８に戻って入力待ちをする。商品コードの入力を受付けた場合（ステップＳ１８：Ｙｅｓ）には、新たな取引、即ち次取引の販売登録処理を開始する。
【００３９】
表示制御部５１は、クーポン判定フラグ格納エリア４２を参照して、クーポン判定フラグのフラグ値が１であるか否かを判定する（ステップＳ１９）。クーポン判定フラグが１である場合（ステップＳ１９：Ｙｅｓ）には、表示制御部５１は、次取引の登録画面１５ａにおいて前取引に進呈可能と判定されたクーポンに関するクーポン情報１５４（図４参照）を表示する（ステップＳ２０）。クーポン判定フラグが０と設定されている場合（ステップＳ１９：Ｎｏ）には、表示制御部５１は、次取引の登録画面を表示させる（ステップＳ２１）。ステップＳ２０またはＳ２１の後はステップＳ１に移行し、次取引の販売登録処理を行う。
【００４０】
以上説明したとおり、本実施形態によれば、合計買い上げ金額が所定の金額に達している場合には、客に進呈可能であるクーポンに関する情報および釣銭額を含む表示領域を表示器上に表示する。これにより、店員は釣銭とクーポンとを同一の表示領域内で素早く確認し易くなるため、釣銭等の手渡しも兼ねてクーポンの進呈をスムーズに行い易くする販売データ処理装置およびプログラムを提供することができる。
【００４１】
また、上述のように、次取引の登録画面１５ａに前取引のクーポン情報１５４を表示させることにより、次取引の客の商品がスキャンされて次取引の登録画面１５ａに表示が移行した場合であっても当該登録画面１５ａ内において前取引のクーポン情報１５４を確認することができ、クーポンの進呈ミスを防止し易くすることができる。
【００４２】
特に、販売登録処理を２人制で行う場合には、キャッシャ担当者がアラート画面１５２においてクーポンの情報を確認する前に、スキャン担当者が次取引の客の商品をスキャンしてしまった場合等においても、キャッシャ担当者は次取引の登録画面１５ａで前取引のクーポン情報１５４を確認することができ、適切なクーポンを前取引の客に進呈することができる。
【００４３】
尚、上述では、予め用意されたクーポンを店員が客に進呈する形態について説明したが、本実施形態はこれに限定されるものではない。その他の例として、印字制御部５６がプリンタ１７によって進呈可能と判定されたクーポン情報を印字媒体に印字して、レシート発行口１８から発行するとし、この場合に上述した本実施形態を適用するとしてもよい。
【００４４】
なお、本実施形態のＰＯＳ端末１で実行されるプログラムは、ＲＯＭ等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４５】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００４６】
本実施形態のＰＯＳ端末１で実行されるプログラムは、上述した各部（表示制御部５１、入力受付部５２、販売登録部５３、対象商品判定部５４、クーポン判定部５５、印字制御部５６）を含むモジュール構成となっており、実際のハードウェアとしてはＣＰＵ（プロセッサ）が上記ＲＯＭからプログラムを読み出して実行することにより上記各部が主記憶装置上にロードされ、表示制御部５１、入力受付部５２、販売登録部５３、対象商品判定部５４、クーポン判定部５５、印字制御部５６が主記憶装置上に生成されるようになっている。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１…ＰＯＳ端末、１５ａ…登録画面、１５ｂ…支払い画面、４１…対象商品マスタ、４２…クーポン判定フラグ格納エリア、４３…ジャーナル格納エリア、５０…制御部、５１…表示制御部、５２…入力受付部、５３…販売登録部、５４…対象商品判定部、５５…クーポン判定部、５６…印字制御部、５７…登録用ワークエリア、１５１、１５３…取引番号、１５２…アラート画面、１５４…クーポン情報、１７１…ジャーナル、１７２…売上データ、１７３…クーポン情報
【先行技術文献】
【特許文献】
【００４９】
【特許文献１】特開平１０−１９８８６７号公報
【図１】
0005450535.tif 000002
【図２】
0005450535.tif 000003
【図３】
0005450535.tif 000004
【図４】
0005450535.tif 000005
【図５】
0005450535.tif 000006
【図６】
0005450535.tif 000007